(57)【要約】【課題】押入棚の前枠固定作業において前枠の固定位置を確実且つ容易に位置決めして該作業中の位置ずれを防止する。【解決手段】前枠３に固定される前枠固定片１１と、側壁４に固定される側壁固定片１２とが平面視略Ｌ字形に形成され、前枠固定片の下端に前枠を支持するための前枠支持片１３が突出形成されてなり、側壁固定片には、側壁の任意の高さ位置に固定される受け桟２の木口に当接される垂直辺と１４該受け桟の下面に当接される水平辺１５とを有する受け桟位置決め部（１６）が切り欠き形成された構成の前枠固定金具１０であり、これを用いて、予め固定された受け桟を基準として前枠を位置決め固定し、これら受け桟および前枠上に棚板を設置・固定して押入棚を形成する。前枠支持片には前枠の下端が載置され、または前枠の裏面に形成された水平溝に嵌入されることにより前枠を支持する。【選択図】図２
2010150745.tif 000002
【特許請求の範囲】
【請求項１】
前枠に固定される前枠固定片と側壁に固定される側壁固定片とが平面視略Ｌ字形に形成され、前枠固定片の下端に前枠を支持するための前枠支持片が突出形成されてなり、側壁固定片には、側壁の任意の高さ位置に固定される受け桟の木口に当接される垂直辺と該受け桟の下面に当接される水平辺とを有する受け桟位置決め部が切り欠き形成されることを特徴とする押入棚の前枠固定金具。
【請求項２】
受け桟位置決め部の垂直辺から前枠固定片と略同方向且つ略平行に突出する受け桟木口隠し片が形成されることを特徴とする、請求項１記載の押入棚の前枠固定金具。
【請求項３】
請求項１または請求項２記載の押入棚の前枠固定金具を用いて、少なくとも左右の側壁により形成される押入空間に押入棚を設置する施工方法であって、左右の側壁の任意の高さに予め固定された受け桟の木口に前枠固定金具の受け桟位置決め部の垂直辺を当接させると共に該受け桟の下面に受け桟位置決め部の水平辺を当接させた状態で側壁固定片を側壁に固定し、次いで、前枠支持片に押入棚の前枠の下端を載せて前枠を位置決めした状態で前枠固定片と前枠とを固定し、次いで、このようにして固定された前枠および予め固定された受け桟の上に棚板を設置・固定することを特徴とする押入棚の施工方法。
【請求項４】
請求項１または請求項２記載の押入棚の前枠固定金具を用いて、少なくとも左右の側壁により形成される押入空間に押入棚を設置する施工方法であって、左右の側壁の任意の高さに予め固定された受け桟の木口に前枠固定金具の受け桟位置決め部の垂直辺を当接させると共に該受け桟の下面に受け桟位置決め部の水平辺を当接させた状態で側壁固定片を側壁に固定し、次いで、前枠支持片を前枠の裏面に形成された前枠支持片嵌入溝に嵌入して前枠を位置決めした状態で前枠固定片と前枠とを固定し、次いで、このようにして固定された前枠および予め固定された受け桟の上に棚板を設置・固定することを特徴とする押入棚の施工方法。
【発明の詳細な説明】
【技術分野】
【０００１】
本発明は押入棚の前枠固定金具および該固定金具を用いた押入棚の施工方法に関する。
【背景技術】
【０００２】
押入棚の前枠を押入の両側壁に架け渡して固定するための金具として、下記特許文献１に記載のものが知られている。この固定金具は、押入棚の前枠下端を載置して支持する前枠支持部と、前枠の後側面に止着される前枠止着部と、側壁に止着される側壁止着部とを有している。
【特許文献１】特開平４−２８９３７５号公報
【発明の開示】
【発明が解決しようとする課題】
【０００３】
この特許文献１の図１にも示されるように、押入棚を押入空間に取り付ける場合、側壁の所定位置に取り付けた受け桟の上に押入棚の棚板を載置支持して固定することにより位置決めを行っている。詳しく説明すると、先に側壁の所定位置に受け桟を取り付けておき、その上に棚板を固定してから、棚板の前端下面に前枠の上面を合わせて前枠を側壁に固定する手順で押入棚の施工を行う。したがって、受け桟上に固定した棚板の前端下面に前枠の上面を当接させた状態となるように前枠を手で支えながら前枠の固定作業を行わなければならず、固定作業中に前枠の位置がずれやすいという問題があった。
【０００４】
したがって、本発明が解決しようとする課題は、押入棚の前枠固定作業において前枠の固定位置を確実且つ容易に位置決めして該作業中の位置ずれを防止することができるような新規な構成の前枠固定金具を提供すると共に、該固定金具を用いて押入棚を容易に施工することが可能な施工方法を提供することである。
【課題を解決するための手段】
【０００５】
上記の課題を達成するため、請求項１に係る本発明は、前枠に固定される前枠固定片と側壁に固定される側壁固定片とが平面視略Ｌ字形に形成され、前枠固定片の下端に前枠を支持するための前枠支持片が突出形成されてなり、側壁固定片には、側壁の任意の高さ位置に固定される受け桟の木口に当接される垂直辺と該受け桟の下面に当接される水平辺とを有する受け桟位置決め部が切り欠き形成されることを特徴とする押入棚の前枠固定金具である。
【０００６】
請求項２に係る本発明は、請求項１記載の押入棚の前枠固定金具において、受け桟位置決め部の垂直辺から前枠固定片と略同方向且つ略平行に突出する受け桟木口隠し片が形成されることを特徴とする。
【０００７】
請求項３に係る本発明は、請求項１または請求項２記載の押入棚の前枠固定金具を用いて、少なくとも左右の側壁により形成される押入空間に押入棚を設置する施工方法であって、左右の側壁の任意の高さに予め固定された受け桟の木口に前枠固定金具の受け桟位置決め部の垂直辺を当接させると共に該受け桟の下面に受け桟位置決め部の水平辺を当接させた状態で側壁固定片を側壁に固定し、次いで、前枠支持片に押入棚の前枠の下端を載せて前枠を位置決めした状態で前枠固定片と前枠とを固定し、次いで、このようにして固定された前枠および予め固定された受け桟の上に棚板を設置・固定することを特徴とする。
【０００８】
請求項４に係る本発明は、請求項１または請求項２記載の押入棚の前枠固定金具を用いて、少なくとも左右の側壁により形成される押入空間に押入棚を設置する施工方法であって、左右の側壁の任意の高さに予め固定された受け桟の木口に前枠固定金具の受け桟位置決め部の垂直辺を当接させると共に該受け桟の下面に受け桟位置決め部の水平辺を当接させた状態で側壁固定片を側壁に固定し、次いで、前枠支持片を前枠の裏面に形成された前枠支持片嵌入溝に嵌入して前枠を位置決めした状態で前枠固定片と前枠とを固定し、次いで、このようにして固定された前枠および予め固定された受け桟の上に棚板を設置・固定することを特徴とする。
【発明の効果】
【０００９】
本発明によれば、押入棚の前枠固定金具の側壁固定片に、側壁の任意の高さ位置に固定される受け桟の木口に当接される垂直辺と該受け桟の下面に当接される水平辺とを有する受け桟位置決め部が切り欠き形成されているので、予め側壁に固定された受け桟に対して前枠固定金具を位置決めすることができ、このようにして受け桟に対して所定位置に位置決めされた前枠固定金具に対して前枠を固定することができるので、前枠の固定位置も確実且つ容易に位置決めすることができる。また、前枠の固定作業中に前枠の位置ずれを生ずることがない。
【発明を実施するための最良の形態】
【００１０】
添付図面に基づいて本発明の実施例を説明するに先立って、本発明による押入棚の前枠固定金具の構成要素および関連する事項について概括的に説明する。ここに押入棚は、棚板と、棚板を受ける受け桟と、前枠とによって構成される。
【００１１】
受け桟は、押入空間を構成する少なくとも左右の側壁の任意の高さに予め固定されるもので、一般に木口の一辺の寸法が２０〜５０ｍｍ程度の角材が用いられる。その長さは押入空間の奥行や幅によって任意に形成される。
【００１２】
前枠は、棚板の幅寸法と略同一の長さ（幅）寸法を有し、その上端裏面側が切り欠かれていて棚板の木口を載置するための棚受け部が形成されている。一般に前枠の厚みは２０〜５０ｍｍ程度、高さは５０〜９０ｍｍ程度であり、棚受け部の幅は１５〜３０ｍｍ程度、高さは５〜３０ｍｍ程度である。一実施形態において、前枠の裏面には、棚受け部上面から３０〜７０ｍｍ程度の高さ位置に深さ３〜１０ｍｍ、幅１〜５ｍｍ程度の溝が略水平に設けられる。この溝は前枠固定金具の前枠支持片が嵌入されるものであり、前枠支持片の形状や大きさに対応して、前枠の全長に亘って、または前枠の両端に各々３５〜７０ｍｍ程度の幅に延長するものとして、形成することができる。
【００１３】
棚板は、側壁に固定されている受け桟の上面と、前枠固定金具を介して固定される前枠の棚受け部の上に載置・固定されて、押入棚の棚板を構成する。
【００１４】
本発明の前枠固定金具は、前枠固定片と側壁固定片とが平面視略Ｌ字形に折り曲げ形成されてなる。素材は特に限定されないが、一般に厚さ１〜３ｍｍ程度のアルミニウム、ステンレス、鉄などの金属で形成される。用いる素材によっては錆発生防止のために塗装による化粧を施しても良い。また、前枠固定片と側壁固定片とがなす角部に補強リブを形成して、前枠固定金具の強度を向上させることができる。
【００１５】
前枠固定片は、前枠の裏面に固定されるものである。前枠固定片の高さは前枠の高さよりも低く形成され、たとえば３０〜７０ｍｍである。前枠固定片の幅は、前枠の一端を支持するに足る寸法を有するが、前枠固定片を前枠裏面に固定するためのビスを挿通させるビス穴が形成されることや、ビス固定の際に予め側壁に固定されている受け桟にビスがぶつからないようにすることを考慮して、３５〜７０ｍｍ程度の幅寸法に形成されることが一般的に好ましい。
【００１６】
前枠固定片の下端には、前枠を支持するための前枠支持片が平面視Ｌ字形の外側に向けて突出形成される。前枠支持片の突出長さは前枠の厚さと略同一またはそれよりも短い長さとされるが、前枠の厚さと同程度になると前枠支持片の前端が押入空間の前方から目視されて美観を損なう恐れがあるので、好ましくは前枠厚さ２０〜５０ｍｍに対して３〜１０ｍｍ程度とする。このような寸法関係とすると前方から見ても前枠支持片が目視されないので美観を損なうことがなく、且つ、前枠を支持するに十分であるので前枠の固定位置を決めることができる。前枠支持片は、前枠の下端を載置して前枠を支持するか、あるいは、前枠の裏面に形成された水平溝（前述）に嵌入されることによって前枠を支持する。前枠支持片は、前枠固定片の下端全長（全幅）から折り曲げられても良いし、あるいは部分的に突出するように形成されても良く、その幅は任意の長さに形成することができる。
【００１７】
側壁固定片は、前枠固定片にて支持される前枠を側壁で固定するに足る寸法を有するが、側壁に固定するための固定ビスを挿通させるビス穴が形成されることを考慮して３０〜７０ｍｍ程度の高さ寸法に形成され、また、側壁にビス固定する際に予め側壁に固定されている受け桟にビスがぶつからないようにすることを考慮して１５〜７０ｍｍ程度の幅寸法に形成されることが好ましい。
【００１８】
側壁固定片は、予め側壁に固定された受け桟の位置に応じて前枠固定金具の側壁への固定位置を位置決めするための受け桟位置決め部を有する。この受け桟位置決め部は、側壁固定片の前枠固定片とは反対側の辺の上部を切り欠くことによって形成される。切り欠いた高さ方向の辺が受け桟の木口に当接される垂直辺となり、切り欠いた幅方向の辺が該受け桟の下面に当接される水平辺となる。垂直辺の高さ方向の寸法は受け桟の木口高さと略同一であって２０〜５０ｍｍ程度であり、水平辺の幅方向の寸法は側壁固定片の幅内で受け桟の下面に当接して前枠固定片の固定位置を位置決めするに十分な寸法であって３〜１０ｍｍ程度である。
【００１９】
一実施形態において、側壁固定片の受け桟位置決め部には、受け桟の木口を隠すための受け桟木口隠し片が形成される。受け桟木口隠し片は任意の形状および寸法で形成することができるが、好ましくは受け桟の木口と略同一形状・寸法に形成される。受け桟木口隠し部は、受け桟位置決め部の垂直辺から前枠固定片と略同方向且つ略平行に延長して全体が略コの字形となるように形成される。さらに、受け桟位置決め部の水平辺から受け桟木口隠し片と略直交方向に延長する受け桟支持片を形成して、受け桟の下面を載置・支持するようにしても良い。
【００２０】
以上の説明から理解されるように、本発明の前枠固定金具は、側壁の所定の高さ位置に予め固定される受け桟に対して固定位置が位置決めされ、該位置に固定された前枠固定金具の前枠支持片で前枠を支持することによって前枠の高さ位置が位置決めされ、該位置に固定された前枠の棚受け部および受け桟に架け渡すようにして棚板を載置固定して、押入棚を施工する。したがって、前枠の棚受け部の上面は、予め固定されている受け桟の上面と同一の高さとなるような所定の高さ位置で固定されなければならず、この高さ位置関係が得られるように前枠固定金具の前枠支持片および受け桟位置決め部の水平辺の各高さ位置が設定される。
【００２１】
次に、本発明による押入棚の施工方法について概括的に説明すると、この方法は、上記した前枠固定金具を用いて、少なくとも左右の側壁により形成される押入空間に押入棚を設置する施工方法である。押入棚の構成および前枠固定金具の構成については既述した通りである。この施工においては、一方の側壁（右側壁面）に対して前枠の右木口部を固定するために用いる右側前枠固定金具と、他方の側壁（左側壁面）に対して前枠の左木口部を固定するために用いる左側前枠固定金具とを用いる必要がある。これら２個の前枠固定金具は左右対称の構成を有しており、「Ｌ」と「Ｒ」または「左」と「右」などの目印を記しておくと施工の際に便利である。
【００２２】
前枠固定金具を用いて前枠を施工するに先立って、押入空間を形成する各壁面の任意の高さに予め受け桟を固定しておく。より詳しくは、受け桟が取り付けられる各壁面に受け桟の取付位置を示す水準線を引いておき、この水準線に受け桟を当てながら、固定ビスを用いて受け桟を各壁面に固定する。押入空間は少なくとも左右の側壁によって形成されるので、これら左右側壁面に水準線を引いて受け桟を固定ビスで固定するが、さらに奥壁を有する場合は、奥壁面にも水準線を引いて受け桟を固定ビスで固定する。一例として、長さ６０ｍｍ程度のビスを用いて４５０ｍｍ以下のピッチで固定することができる。
【００２３】
左側壁面に固定した受け桟の前木口および下面に、左側前枠固定金具の側壁固定片に切り欠き形成されている受け桟位置決め部の垂直辺および水平辺をそれぞれ当接させて、側壁固定片を左側壁面にビス固定する。同様に、右側壁面に固定した受け桟の前木口および下面に、右側前枠固定金具の側壁固定片に切り欠き形成されている受け桟位置決め部の垂直辺および水平辺をそれぞれ当接させて、側壁固定片を右側壁面にビス固定する。
【００２４】
このようにして左右の各側壁面に対して各々前枠固定金具を固定した後、各前枠固定金具の前枠支持片に前枠の下端を載置し、または該前枠支持片を前枠裏面に形成した水平溝に嵌入することにより前枠を支持し、この高さ位置関係で前枠固定金具の前枠固定片を前枠の裏面にビス固定する。
【００２５】
次いで、予め取り付けておいた受け桟、および、上記のようにして固定された前枠の上端裏面側に形成されている棚受け部の上に棚板を載せ、木ねじなどで棚板をこれら受け桟および前枠棚受け部に固定して、押入棚を施工することができる。
【００２６】
壁固定片の受け桟位置決め部に受け桟木口隠し片が形成された前枠固定金具を用いて施工した場合には、この受け桟木口隠し片で受け桟の木口を隠すことができるので、意匠性が向上する。また、受け桟位置決め部に受け桟支持片が形成された前枠固定金具を用いて施工した場合には、この受け桟支持片上に受け桟の下面を当接させて受け桟を支持することができるので、より大きな支持強度が得られる。
【実施例１】
【００２７】
実施例１による前枠固定金具１０を図１に示す。この前枠固定金具１０は、前枠固定片１１と側壁固定片１２とが平面視略Ｌ字形に折り曲げ形成されてなり、さらに前枠固定片１１の下端から側壁固定片１２とは反対方向に突出形成された２つの前枠支持片１３を有して構成されている。この前枠固定金具１０は厚さ１．８ｍｍ程度の金物であり、前枠固定片１１は高さ６５ｍｍ、幅４７ｍｍの略矩形状に形成され、側壁固定片１２は高さ６５ｍｍ、最大幅は２５ｍｍであってその先端上方部分が矩形状に切り欠かれて垂直辺１４と水平辺１５とを有する受け桟位置決め部１６を形成している。垂直辺１４の長さ（高さ）は２８ｍｍであり、水平辺１５の長さ（幅）は５ｍｍである。また、各前枠支持片１３の突出長さは４ｍｍであり、幅５ｍｍで２箇所から突出するように形成されている。
【００２８】
前枠固定片１１には、この前枠固定金具１０を前枠の裏面側に固定するための固定ビスを挿通させるビス穴１７が任意数形成されている。また、側壁固定片１２には、この前枠固定金具１０を側壁に固定するための固定ビスを挿通させるビス穴１８が任意数形成されている。また、この実施例では、前枠固定片１１と側壁固定片１２とがなす角部に補強リブ１９が形成されていて、前枠固定金具１０の強度を向上させている。
【００２９】
この前枠固定金具１０を用いて行った押入棚の施工例が図２に示されている。この押入棚は、棚板１と、棚板１を受ける受け桟２と、前枠３とによって構成される。受け桟２は、高さ２８ｍｍ×幅２５ｍｍの角材であって、ビスなどの固定具（図示せず）により、押入空間を構成する少なくとも左右の側壁４の任意の高さに予め固定されており、この固定された受け桟２の前木口および下面に、前枠固定金具１０の側壁固定片１２に切り欠き形成されている受け桟位置決め部１６の垂直辺１４および水平辺１５をそれぞれ当接させ、側壁固定片１２のビス穴１８に通した固定ビス２０によって前枠固定金具１０を側壁４にビス固定する。図２には左側壁４に固定された受け桟２および左側の前枠固定金具１０のみが示されているが、同様に、右側壁にも予め受け桟２が固定されており、この受け桟２の前木口および下面に右側の前枠固定金具１０の側壁固定片１２の受け桟位置決め部１６の垂直辺１４および水平辺１５をそれぞれ当接させ、側壁固定片１２のビス穴１８に通した固定ビス２０によって該右側の前枠固定金具１０を右側壁にビス固定する（図３）。予め側壁４の所定位置に取り付けられている受け桟２の前木口および下面に受け桟位置決め部１６の垂直辺１４および水平辺１５をそれぞれ当接させた状態で前枠固定金具１０が側壁に固定されるので、前枠固定金具１０の固定位置が容易且つ正確に位置決めされる。
【００３０】
このようにして左右の側壁４に取り付けられた左右の前枠固定金具１０に対して前枠３を固定ビス２１で固定する。より詳しくは、前枠固定金具１０の前枠固定片１１の下端から前方に向けて水平に突出している前枠支持片１３上に前枠３を載せて支持した状態にして、前枠固定片１１の裏面側からビス穴１７に通した固定ビス２１によって前枠３を前枠固定金具１０に固定する。前枠固定金具１０は既に側壁４に固定されているので、これにより前枠３が所定の高さ位置に位置決め固定される。このとき前枠３の棚受け部５は受け桟２の上面と同一高さに位置している。そして、このようにして左右の側壁４間に架け渡すようにして固定された前枠３の棚受け部５と、左右の側壁４に予め固定されている受け桟２の上に棚板１を載せて、これらに対して木ねじなどの固定具（図示せず）で固定することで、押入棚が形成される。なお、前枠３の裏面側の下端近くには全幅に亘って水平溝６が形成されているが、この実施例では前枠３の固定には関与していない。
【００３１】
より詳細な押入棚の施工状態が図３に示されている。上記のようにして押入棚を形成した後、棚板１を前枠３の棚受け部５に固定する際に用いた木ねじなどの固定具を隠すためのねじ隠しカバー２５を貼着し、棚板１と側壁４との間の継ぎ目に雑巾ずり２３を取り付ける。また、寸法誤差によって施工時に前枠３と左右側壁４および棚板１との間に隙間が生ずることがあるので、この隙間を隠すためにゴム製などの隙間隠しカバー２４を貼着している。
【実施例２】
【００３２】
実施例２による前枠固定金具１０Ａを図４に示す。この前枠固定金具１０Ａは、図１に示す実施例１の前枠固定金具１０と略同様の構成を有しており、同一または対応する構成要素ないし部分には同一の符号を付してそれらについての説明を割愛する。
【００３３】
この前枠固定金具１０Ａが実施例１の前枠固定金具１０と異なるのは、前枠支持片１３が所定幅を有する平板状の突起片として形成されている点と、受け桟位置決め部１６の垂直辺１４から前枠固定片１１と略同方向且つ略平行に延長する受け桟木口隠し片２２が形成されている点である。平板状に形成された前枠支持片１３は突出長さが４ｍｍであり、前枠固定片１１の下端後方から３１ｍｍ程度の幅で形成されている。受け桟木口隠し片２２は、受け桟２の木口と略同形状且つ同寸法（高さ２８ｍｍ×幅２５ｍｍ）に形成されている。
【００３４】
この前枠固定金具１０Ａを用いて行った押入棚の施工例が図５に示されている。この施工例も、実施例１の前枠固定金具１０を用いた施工例（図２）と略同様であるが、受け桟位置決め部１６の垂直辺１４から前枠固定片１１と略同方向且つ略平行に延長する受け桟木口隠し片２２が受け桟２の木口と略同形状且つ同寸法に形成されているので、予め側壁４に固定された受け桟２の木口を基準にして前枠固定金具１０Ａを位置決め固定したときに、受け桟２の前木口および下面に受け桟位置決め部１６の垂直辺１４および水平辺１５が当接されると共に、該前木口が受け桟木口隠し片２２に覆われる。これにより受け桟２の木口が露呈せず、良好な意匠性が確保される。
【実施例３】
【００３５】
実施例３による前枠固定金具１０Ｂを用いて行った押入棚の施工例が図６に示されている。この前枠固定金具１０Ｂは、図４に示す実施例２の前枠固定金具１０Ａと略同様の構成を有しており、同一または対応する構成要素ないし部分には同一の符号を付してそれらについての説明を割愛する。
【００３６】
この前枠固定金具１０Ａが実施例１の前枠固定金具１０と異なるのは、予め側壁４に固定された受け桟２の木口を基準にして位置決め固定された前枠固定金具１０Ｂに対して、前枠３の裏面側に設けられた水平溝６に前枠支持片１３が嵌入されることによって、前枠３が位置決め固定される点である。この実施例によれば、前枠固定金具１０Ｂの前枠固定片１１を前枠３の下端まで延長させる必要がなく、前枠支持片１３が前枠３の下端に露呈することによる意匠性の低下を防止することができる。
【００３７】
この実施例による前枠固定片１１は高さ約５４ｍｍ、幅４７ｍｍであり、前枠支持片１３は前枠支持片１１の下端後方から３１ｍｍ程度の幅で長さ４ｍｍで突出しており、側壁固定片１２は高さ約５４ｍｍ、最大幅は２５ｍｍであってその先端上方部分が矩形状に切り欠かれて垂直辺１４と水平辺１５とを有する受け桟位置決め部１６を形成している。垂直辺１４の長さ（高さ）は２８ｍｍであり、水平辺１５の長さ（幅）は５ｍｍである。受け桟木口隠し片２２は、受け桟２の木口と略同形状且つ同寸法（高さ２８ｍｍ×幅２５ｍｍ）に形成されている。
【図面の簡単な説明】
【００３８】
【図１】本発明の実施例１による前枠固定金具の斜視図である。
【図２】図１の前枠固定金具を用いて行った押入棚の施工例を示す斜視図である。
【図３】図２の施工例のより詳細な構成を示す斜視図である。
【図４】本発明の実施例２による前枠固定金具の斜視図である。
【図５】図４の前枠固定金具を用いて行った押入棚の施工例を示す斜視図である。
【図６】本発明の実施例３による前枠固定金具を用いて行った押入棚の施工例を示す斜視図である。
【符号の説明】
【００３９】
１０，１０Ａ，１０Ｂ  前枠固定金具
１１  前枠固定片
１２  側壁固定片
１３  前枠支持片
１４  垂直辺
１５  水平辺
１６  受け桟位置決め部
１７，１８  ビス孔
１９  補強リブ
２０，２１  固定ビス
２２  受け桟木口隠し片
２３  雑巾ずり
２４  隙間隠しカバー
２５  ねじ隠しカバー
【図１】
2010150745.tif 000003
【図２】
2010150745.tif 000004
【図３】
2010150745.tif 000005
【図４】
2010150745.tif 000006
【図５】
2010150745.tif 000007
【図６】
2010150745.tif 000008